(57)【要約】【課題】クリップを、軸筒内に装着した内部材と該内部材に螺子嵌合するビス等の他部材との螺子嵌合によりクリップを挟持して軸筒に取付けるのではなく、内部に装着した内部材のみで、簡単な操作でクリップを確実に取付けることができる筆記具用クリップの取付構造を提案する。【解決手段】内筒３に、一方の幅：Ｖがクリップ４の取付孔７の短手の幅：Ｎより若干大きく、一方の幅：Ｖ に対して直交する方向の他方の幅：Ｗが取付孔７の短手の幅：Ｎより小さく形成した嵌合部９を設ける。クリップ４の取付孔７に、嵌合部９の一方の幅：Ｖが取付孔７の長手に沿うように配して嵌合部９を遊嵌し、内筒３を回転し、嵌合部９の一方の幅：Ｖの両端部９ａ、９ｂを取付孔７を構成する取付片５の内側部５ｃ、５ｄに圧接させることで、クリップ４を筆記具用キャップ１に取付ける。【選択図】図７
2010274537.tif 000002
【特許請求の範囲】
【請求項１】
貫通した取付孔を設けた後端部を略直角に折曲げて形成した取付片を有した筆記具用クリップを、クリップの取付孔に遊嵌する、一方の幅をクリップの取付孔の短手の幅より若干大きく形成し、前記一方の幅に対して直交する方向の他方の幅をクリップの取付孔の短手の幅より小さく形成した嵌合部を設けた内部材で、軸筒の挿入孔より挿入したクリップの取付片の取付孔に、内部材の嵌合部の前記一方の幅がクリップの取付孔の長手に沿うように配して嵌合部を取付孔に遊嵌し、内部材を回転して嵌合部の前記一方の幅の両端部をクリップの取付孔の長手の内側壁部に圧接させて取付けてなることを特徴とする、筆記具用クリップの取付構造。
【請求項２】
前記クリップの取付片の先端部を、クリップの取付片を挿入する軸筒の側部に形成した挿入孔と反対側の軸筒の内壁面に設けた係止孔に挿入してなる、請求項１に記載の筆記具用クリップの取付構造。
【請求項３】
前記クリップの取付片の外側部に係止凹部を形成し、挿入孔と反対側の軸筒の内壁面に前記係止凹部に係止する係止突起を設け、係止凹部に係止突起を係止してクリップの取付片が軸筒の挿入孔より抜け出す方向への移動を抑制してなる、請求項１または２に記載の筆記具用クリップの取付構造。
【発明の詳細な説明】
【技術分野】
【０００１】
本発明は、筆記具用クリップの取付構造に関する。
【背景技術】
【０００２】
従来、筆記具の軸筒等に装着されるクリップの取付構造に関し、様々な構造のものが提案されており、こうした中、内部に装着した内部材を介してクリップを軸筒の側部に固定する取付構造についても提案されている。
【０００３】
前記取付構造としては、内部に内筒を挿着した筆記具用キャップへのクリップ取付構造がある。例えば図９に示すような、筆記具用キャップ５１のキャップ本体５２の内部を気密保持するために挿着する内筒５３の先端部５３ａに、雌ねじ部５４を有する嵌合凹部５５を設け、内筒５３をキャップ本体５２内に挿着し、クリップ５６の後端部５６ａを略直角に折曲げて設けた取付片５７をキャップ本体５２の先端に配し、前記内筒５３の嵌合凹部５５の雌ねじ部５４に螺子嵌合する雄ねじ部５８を形成した嵌合突部５９を有した頭冠ビス６０を、前記嵌合突部５９をクリップ５６の取付片５７に形成した取付孔６１に挿通し、嵌合突部５９の雄ねじ部５８を内筒５３の嵌合凹部５５の雌ねじ部５４に螺子嵌合して内筒５３に固着し、クリップ５６を頭冠ビス６０とキャップ本体５２の先端部５２ａとで挟持することで取付けてなる構造である。
【０００４】
しかし、前記のような頭冠ビス等の一方の部材と内筒等の他方の部材を螺子嵌合することでクリップを挟持して取付けるという取付構造では、螺子の締めすぎの際にはクリップやキャップ等に衝撃が加わると前記一方の部材や他方の部材に割れが発生するという問題や、螺子の締め付けが緩いとクリップにがたが生じる等、螺子嵌合における締め付け力に気をつけなければならないという煩わしさがある。
【０００５】
螺子嵌合を用いることなくクリップを取付ける構造として、クリップを回転させるだけの簡単な操作によりクリップを確実に取付けることができるという技術が、実公昭５７−５１８５号公報により提案されている。本考案の取付構造は、「後軸（キャップ）に、内筒を嵌合し、該内筒の後端に突設した軸部を後軸（キャップ）の後端に形成した孔より突出させ、この軸部の外周に軸方向に沿って挿入溝を形成し、この挿入溝に続いて内方に円周方向に沿って嵌結溝を形成し、クリップの後端を略直角方向に折曲げて形成した取付片に前記軸部に嵌合される嵌合孔を穿設し、この嵌合孔に前記嵌結溝に嵌合される嵌着突片を設け、軸部の嵌結溝に挿入溝よりクリップの嵌着突片を嵌合し、クリップを回転させ、嵌着突片を嵌結溝に圧接して固定する。」という構造である。
【０００６】
しかし、前記構造では、美観的な点からクリップの取付片が外方に露出しないようにするためには、クリップを後軸（キャップ）に取付けた後に、天冠（頭冠）を内筒の軸部の外端部に固定する必要があり、前記した従来のクリップ５６を頭冠ビス６１とキャップ本体５２の先端部５２ａとで挟持して取付けてなる取付構造に対して、部品点数や作業工程を削減することはできない。製造コストの低減が重要視されている昨今では、より部品点数を少なくしてより簡単にクリップを軸筒に取付けられ、製造コストの低減が図れる取付構造が要望されているが、前記取付構造では部品点数の点で満足するものとはならない。
【先行技術文献】
【特許文献】
【０００７】
【特許文献１】実公昭５７−５１８５号公報
【発明の概要】
【発明が解決しようとする課題】
【０００８】
本発明は、このような問題点に鑑みてなされたものであり、その目的とするところは、クリップを、軸筒内に装着した内部材と該内部材に螺子嵌合するビス等の他部材との螺子嵌合によりクリップを挟持して軸筒に取付けるのではなく、内部に装着した内部材のみで、簡単な操作でクリップを確実に取付けることができる筆記具用クリップの取付構造を提案するものである。
【課題を解決するための手段】
【０００９】
本発明は、
「１．貫通した取付孔を設けた後端部を略直角に折曲げて形成した取付片を有した筆記具用クリップを、クリップの取付孔に遊嵌する、一方の幅をクリップの取付孔の短手の幅より若干大きく形成し、前記一方の幅に対して直交する方向の他方の幅をクリップの取付孔の短手の幅より小さく形成した嵌合部を設けた内部材で、軸筒の挿入孔より挿入したクリップの取付片の取付孔に、内部材の嵌合部の前記一方の幅がクリップの取付孔の長手に沿うように配して嵌合部を取付孔に遊嵌し、内部材を回転して嵌合部の前記一方の幅の両端部をクリップの取付孔の長手の内側壁部に圧接させて取付けてなることを特徴とする、筆記具用クリップの取付構造。
２．前記クリップの取付片の先端部を、クリップの取付片を挿入する軸筒の側部に形成した挿入孔と反対側の軸筒の内壁面に設けた係止孔に挿入してなる、前記１項に記載の筆記具用クリップの取付構造。
３．前記クリップの取付片の外側部に係止凹部を形成し、挿入孔と反対側の軸筒の内壁面に前記係止凹部に係止する係止突起を設け、係止凹部に係止突起を係止してクリップの取付片が軸筒の挿入孔より抜け出す方向への移動を抑制してなる、前記１項または２項に記載の筆記具用クリップの取付構造。」
である。
【００１０】
本発明における筆記具の軸筒とは、クリップを取付けるキャップ式筆記具における筆記具用キャップやノック式や回転式の繰出式筆記具における軸筒のことである。また、内部材とは、筆記具用キャップ等においては筆記具用キャップ内の気密を保持するための内筒であり、繰出式筆記具等においては軸筒内に収容された筆記体の先端部を軸筒の先端開口部より繰出すための繰出機構における部材や軸筒内に挿着される部材等である。
【００１１】
本発明の筆記具用クリップの取付構造においては、内部材の形状等により、軸筒内に内部材を挿入した後にクリップの取付片を軸筒の挿入孔に挿入し、クリップの取付孔に内部材の嵌合部を遊嵌しても良いし、軸筒の挿入孔にクリップの取付片を挿入した後に、内部材を軸筒内に挿入し、クリップの取付孔に内部材の嵌合部を遊嵌しても良い。
【発明の効果】
【００１２】
本発明は前記したような筆記具用クリップの取付構造なので、クリップを軸筒内に挿着した内部材を回転するだけで軸筒に取付けられ、いたって簡単な操作でクリップを確実に取付けることができる。
【００１３】
本発明の筆記具用クリップの取付構造は、２つの部材を螺子嵌合することでクリップを挟持して取付ける構造ではないので、螺子の締め付けに係る諸問題、例えば、螺子の締めすぎによる部材の割れ等の悪影響や、螺子の締め付けが緩いとクリップにがたが生じる等の、螺子嵌合における締め付け力に気を使わなければならない等の製造上の煩わしさもなく、かつ内部材のみでクリップを固定するので部材や作業工程の削減ができ、製造コストの点で多大な利点がある。
【００１４】
請求項２に係る発明とすることで、軸心方向へがたつくことなくクリップを軸筒に取付けることができる。さらに請求項３に係る発明とすることで、クリップの径方向へのがたつきを防止することのみならず、容易にクリップが軸筒から抜け出すことがないようにすることができる。
【図面の簡単な説明】
【００１５】
【図１】本発明の筆記具用クリップの取付構造の実施例を示す、筆記具用キャップの要部の縦断面図である。
【図２】図１におけるＡ−Ａ線部分の横断面図である。
【図３】図１におけるＢ−Ｂ線部分の端面図である。
【図４】図1における内キャップの平面図である。
【図５】図４の内キャップの先端側から見た正面図である。
【図６】図1において、内キャップを回転しクリップをキャップ本体に固定した状態を示す筆記具用キャップの要部の縦断面図である。
【図７】図６におけるＣ−Ｃ線部分の横断面図である。
【図８】図６におけるＤ−Ｄ線部分の端面図である。
【図９】従来の筆記具用クリップの取付構造を示す、筆記具用キャップの要部の縦断面図である。
【発明を実施するための最良の形態】
【００１６】
軸筒として筆記具用キャップの場合には、筆記具用キャップ内の気密を保持するための内筒が内部材となる。内筒に、本発明における固定用突部を形成してクリップを筆記具用キャップに取付ける。
【実施例】
【００１７】
以下、本発明の実施例を図面を用いて説明する。本実施例では、軸筒として筆記具用キャップの場合を例に挙げるが、本発明がこれに限定されるものではない。軸筒として、従来に見られるように、クリップを取付けたノック式や回転式の繰出式筆記具における軸筒であってもよい。
【００１８】
筆記具用キャップ（軸筒）１は、図1に示すように、キャップ本体２の内部を気密保持するために内筒（内部材）３を挿着した構造のものである。キャップ本体２の先端部（図１において左側）２ａの側部には、クリップ４の後端部４ａを略直角方向に折曲げて形成した取付片５を挿入するための挿入孔６を設けてある。
【００１９】
図２に示すように、クリップ４の取付片５には、該取付片５の先端（図２において下側）に開口した取付孔７を、孔の長さにおいて取付片５に沿った方向の幅（図２において上下方向の長さ）：Ｌを長手とし、取付片５に沿った方向に対して直交する方向の幅（図２において左右方向）：Ｎを短手として設けてある。
【００２０】
図４〜図５に示すように、内筒３の先端には、径方向の一方の幅：Ｘおよび該一方の幅：Ｘに対して直交する他方の幅：Ｙがクリップ４の取付孔７の前記した短手の幅：Ｎより大きく長手の幅：Ｌより小さく形成した、断面形状が円形状の頭部８と、該頭部８の後端に連接しクリップ４の取付孔７に遊嵌する、頭部８の一方の幅：Ｘと同方向の一方の幅：Ｖがクリップ４の取付孔７の前記した短手の幅：Ｎより若干大きくかつ頭部８の一方の幅：Ｘより小さい、さらには前記一方の幅：Ｖ に対して直交する方向の他方の幅：Ｗを前記クリップ４の取付孔７の短手の幅：Ｎより小さく形成した嵌合部９を設けてある。なお、頭部８は、内筒３がキャップ本体２から抜け出すのを防止するために設けてある。
【００２１】
クリップ４を筆記具用キャップ１に取付けるには、先ず内筒３を、嵌合部９の一方の幅：Ｖの方向がキャップ本体２の挿入孔６に対して直交するようにキャップ本体２内に挿入し、キャップ本体２の先端部２ａの内壁面に形成した、内筒３の嵌合部９を設けた先端部３ａの外径より小径となる内径を構成する段部１０に、内筒３の先端部３ａを当接させる。こうすることにより、嵌合部９がキャップ本体２の挿入孔６に対向した位置となるようにしてある。
【００２２】
次に、クリップ４の取付片５をキャップ本体２の挿入孔６に挿入し、クリップ４の取付孔７に内筒３の嵌合部９を該嵌合部の一方の幅：Ｖがクリップ４の取付孔７の長手に沿うように遊嵌し、挿入孔６に対向した側のキャップ本体２の内壁面に離間して設けた２つの係止突起１１に、クリップ４の取付片５の外側部５ａ、５ｂに形成した係止凹部１２を係止する。また、取付片５の先端部５ｅ（図２および図７において下側）は、挿入孔６に対向した側のキャップ本体２の内壁面に形成した係止孔１３に挿入させてある。
【００２３】
次に、内筒３を治具（図示せず）等を用いて回転し、図６〜図８に示すように、嵌合部９の一方の幅：Ｖ方向の両端部９ａ、９ｂをクリップ４の取付孔７を構成する取付片５の内側部５ｃ、５ｄに圧接させ（図７を参照）、クリップ４を筆記具用キャップ１に取付ける。
【００２４】
内筒３の先端部３ａの外側面の周方向において嵌合部９の他方の幅：Ｗ方向と同方向の対向した２カ所には、凹溝１４を有した外方に僅かに突出した係合部１５を設けてあり（図４を参照）、内筒３を回転することで、図３および図８に示すように、キャップ本体２の内壁面の周方向において挿入孔６と同位置とその対向した位置の両位置に設けた被係合部１６を、前記係合部１５の端部を乗越えて凹溝１４に係合させて、内筒２が容易に回転しないようにしてある。
【００２５】
また、本実施例においては、クリップ４の取付片５をキャップ本体２の挿入孔６に挿入して、挿入孔６の反対側に位置する係止孔１３に取付片５の先端部５ｅを挿入し易いように、内筒３の先端部３ａに、嵌合部９に連接し、外側から軸心方向に向って漸次突出量が大きくなったガイド突起１７を設けて、クリップ４の取付片５の先端部５ｅが、頭部８の後端面８ａと前記ガイド突起１７に案内されて前記係止孔１３に向って進むようにしてある。
【００２６】
また、クリップ４は、前記頭部８の後端面８ａ、挿入孔６と係止孔１４とで挟持されるので、筆記具用キャップ１に対する軸心方向への前後動によるがたつきは防止される。
【００２７】
他の実施例として、図示してないが、内筒２の先端部に設ける頭部８を、径方向の一方の幅：Ｘをクリップ４の取付孔７の前記した短手の幅：Ｎより大きく長手の幅：Ｌより小さく形成し、一方の幅：Ｘに対して直交する他方の幅：Ｙを取付孔７の前記した短手の幅：Ｎより小さくして形成した以外は、前記実施例と同様にしてキャップ本体２、クリップ４、内筒３を形成し、先ず、クリップ４の取付片５をキャップ本体２の挿入孔６に挿入して配した後に、前記内筒３を、頭部８の径方向の一方の幅：Ｘがキャップ本体２に形成した挿入孔６に対して直交するようにキャップ本体２内に挿入し、頭部８をクリップ４の取付孔７に対して通過させて嵌合部９を取付孔７に遊嵌し、前記実施例と同様に内筒３を治具（図示せず）等を用いて回転して、クリップ４を筆記具用キャップ１に取付けても良い。
【産業上の利用可能性】
【００２８】
本発明の筆記具用クリップの取付構造は、キャップ式筆記具におけるキャップとしての軸筒のみならず、ノック式や回転式の繰出式筆記具におけるクリップが取付けられた一般的に「軸筒」と呼ばれている「軸筒」へクリップを取付ける際にも適用できる。また、筆記具用の軸筒のみならず、工具やその他の道具における軸筒等へにもクリップを取付ける際に適用できる。
【符号の説明】
【００２９】
１  筆記具用キャップ（軸筒）
２  キャップ本体  
３  内筒（内部材）
４  クリップ
５  取付片
６  挿入孔
７  取付孔
９  嵌合部
Ｎ  
【図１】
2010274537.tif 000003
【図２】
2010274537.tif 000004
【図３】
2010274537.tif 000005
【図４】
2010274537.tif 000006
【図５】
2010274537.tif 000007
【図６】
2010274537.tif 000008
【図７】
2010274537.tif 000009
【図８】
2010274537.tif 000010
【図９】
2010274537.tif 000011